(57)【要約】【課題】広告の食材情報と番組情報とを容易に対応付けて出力できる番組情報連携装置、番組情報連携方法及び番組情報連携プログラムを提供すること。【解決手段】番組情報連携装置１は、放送予定の番組それぞれの番組情報を取得する放送予定取得部１１と、番組情報に基づいて、番組の中から料理番組を抽出する料理番組抽出部１２と、店舗で扱う食材のチラシ情報を取得するチラシ情報取得部１３と、料理番組の番組情報及びチラシ情報のそれぞれから、食材情報を抽出する食材情報抽出部１４と、食材情報をマッチングさせることにより、料理番組の番組情報とチラシ情報とを対応付けるマッチング部１５と、マッチングの結果を出力する情報提供部１６と、を備える。【選択図】図１
2017201468.tif 000002
【特許請求の範囲】
【請求項１】
放送予定の番組それぞれの番組情報を取得する放送予定取得部と、
前記番組情報に基づいて、前記番組の中から料理番組を抽出する料理番組抽出部と、
店舗で扱う食材の広告情報を取得する広告情報取得部と、
前記料理番組の番組情報及び前記広告情報のそれぞれから、食材情報を抽出する食材情報抽出部と、
前記食材情報をマッチングさせることにより、前記料理番組の番組情報と前記広告情報とを対応付けるマッチング部と、
前記マッチングの結果を出力する出力部と、を備える番組情報連携装置。
【請求項２】
前記放送予定取得部は、指定されたエリアにおける放送予定番組を対象として、前記番組情報を取得する請求項１に記載の番組情報連携装置。
【請求項３】
前記放送予定取得部は、前記広告情報の日付に基づいて、取得対象とする番組の放送予定日を決定する請求項１又は請求項２に記載の番組情報連携装置。
【請求項４】
前記出力部は、前記広告情報と対応付けられた番組情報と共に、対応付けられなかった番組情報を区別して出力する請求項１から請求項３のいずれかに記載の番組情報連携装置。
【請求項５】
放送予定の番組それぞれの番組情報を取得する放送予定取得ステップと、
前記番組情報に基づいて、前記番組の中から料理番組を抽出する料理番組抽出ステップと、
店舗で扱う食材の広告情報を取得する広告情報取得ステップと、
前記料理番組の番組情報及び前記広告情報のそれぞれから、食材情報を抽出する食材情報抽出ステップと、
前記食材情報をマッチングさせることにより、前記料理番組の番組情報と前記広告情報とを対応付けるマッチングステップと、
前記マッチングの結果を出力する出力ステップと、をコンピュータが実行する番組情報連携方法。
【請求項６】
放送予定の番組それぞれの番組情報を取得する放送予定取得ステップと、
前記番組情報に基づいて、前記番組の中から料理番組を抽出する料理番組抽出ステップと、
店舗で扱う食材の広告情報を取得する広告情報取得ステップと、
前記料理番組の番組情報及び前記広告情報のそれぞれから、食材情報を抽出する食材情報抽出ステップと、
前記食材情報をマッチングさせることにより、前記料理番組の番組情報と前記広告情報とを対応付けるマッチングステップと、
前記マッチングの結果を出力する出力ステップと、をコンピュータに実行させるための番組情報連携プログラム。
【発明の詳細な説明】
【技術分野】
【０００１】
本発明は、広告と番組情報とを連携する装置、方法及びプログラムに関する。
【背景技術】
【０００２】
従来、健康への関心の高まりにつれて、例えば、健康又は食に関する番組放送後に、番組で取り上げられた食材が多く売れるという事象が起きている。また、広告（チラシ）のデジタル化及びネットスーパーの普及に伴い、放送又はインターネット上のレシピコンテンツを手動でチラシ又はインターネットのサイトなどに提供する事例も出てきている。このように、食や健康に関するコンテンツは、生活との親和性が高いと言える。
例えば、チラシとレシピとを連携させる手法として、特許文献１では、予め登録しておいた個人情報と特売情報とをマッチングし、特売食材で作る献立を提供するシステムが提案されている。
【先行技術文献】
【特許文献】
【０００３】
【特許文献１】特開２０１０−２５７２７１号公報
【発明の概要】
【発明が解決しようとする課題】
【０００４】
しかしながら、特許文献１の手法では、まず初めに利用者は、嗜好などの個人情報を登録しておく必要がある。また、メイン料理のサブとなる料理を提案するため、ユーザは、まずメイン料理を選んでおく必要もある。このように、利用者による情報登録及び選択という作業が必要になる。
【０００５】
本発明は、広告の食材情報と番組情報とを容易に対応付けて出力できる番組情報連携装置、番組情報連携方法及び番組情報連携プログラムを提供することを目的とする。
【課題を解決するための手段】
【０００６】
本発明に係る番組情報連携装置は、放送予定の番組それぞれの番組情報を取得する放送予定取得部と、前記番組情報に基づいて、前記番組の中から料理番組を抽出する料理番組抽出部と、店舗で扱う食材の広告情報を取得する広告情報取得部と、前記料理番組の番組情報及び前記広告情報のそれぞれから、食材情報を抽出する食材情報抽出部と、前記食材情報をマッチングさせることにより、前記料理番組の番組情報と前記広告情報とを対応付けるマッチング部と、前記マッチングの結果を出力する出力部と、を備える。
【０００７】
前記放送予定取得部は、指定されたエリアにおける放送予定番組を対象として、前記番組情報を取得してもよい。
【０００８】
前記放送予定取得部は、前記広告情報の日付に基づいて、取得対象とする番組の放送予定日を決定してもよい。
【０００９】
前記出力部は、前記広告情報と対応付けられた番組情報と共に、対応付けられなかった番組情報を区別して出力してもよい。
【００１０】
本発明に係る番組情報連携方法は、放送予定の番組それぞれの番組情報を取得する放送予定取得ステップと、前記番組情報に基づいて、前記番組の中から料理番組を抽出する料理番組抽出ステップと、店舗で扱う食材の広告情報を取得する広告情報取得ステップと、前記料理番組の番組情報及び前記広告情報のそれぞれから、食材情報を抽出する食材情報抽出ステップと、前記食材情報をマッチングさせることにより、前記料理番組の番組情報と前記広告情報とを対応付けるマッチングステップと、前記マッチングの結果を出力する出力ステップと、をコンピュータが実行する。
【００１１】
本発明に係る番組情報連携プログラムは、放送予定の番組それぞれの番組情報を取得する放送予定取得ステップと、前記番組情報に基づいて、前記番組の中から料理番組を抽出する料理番組抽出ステップと、店舗で扱う食材の広告情報を取得する広告情報取得ステップと、前記料理番組の番組情報及び前記広告情報のそれぞれから、食材情報を抽出する食材情報抽出ステップと、前記食材情報をマッチングさせることにより、前記料理番組の番組情報と前記広告情報とを対応付けるマッチングステップと、前記マッチングの結果を出力する出力ステップと、をコンピュータに実行させる。
【発明の効果】
【００１２】
本発明によれば、広告の食材情報と番組情報とを容易に対応付けて出力できる。
【図面の簡単な説明】
【００１３】
【図１】実施形態に係る番組情報連携装置の機能構成を示すブロック図である。
【図２】実施形態に係る番組情報から食材情報を抽出する処理手順を例示する図である。
【図３】実施形態に係るチラシ情報から食材情報を抽出する処理手順を例示する図である。
【図４】実施形態に係るマッチング処理の手順を例示する図である。
【図５】実施形態に係る番組情報連携装置の第１の利用形態を示す図である。
【図６】実施形態に係る番組情報連携装置の第２の利用形態を示す図である。
【発明を実施するための形態】
【００１４】
以下、本発明の実施形態の一例について説明する。
図１は、本実施形態に係る番組情報連携装置１の機能構成を示すブロック図である。
なお、番組情報連携装置１は、サーバ又はＰＣ（Ｐｅｒｓｏｎａｌ  Ｃｏｍｐｕｔｅｒ）などの情報処理装置（コンピュータ）であり、ＣＰＵなどの制御部及び記憶部の他、入出力デバイス及び通信制御部などのインタフェースを備える。番組情報連携装置１は、記憶部に格納された所定のソフトウェア（番組情報連携プログラム）を制御部が実行することにより、本実施形態の各種機能を実現する。
【００１５】
番組情報連携装置１の制御部は、放送予定取得部１１と、料理番組抽出部１２と、チラシ情報取得部１３（広告情報取得部）と、食材情報抽出部１４と、マッチング部１５と、情報提供部１６（出力部）とを備える。
【００１６】
番組情報連携装置１は、これらの機能部が協働することにより、放送予定情報から食に関する番組情報を抜き出し、チラシの内容とマッチングすることで、チラシにこれから放送される番組のレシピ情報を連携させる。また、番組情報連携装置１は、番組情報とレシピ情報とを、番組が放送される場所及び日時に基づいて連携させ、放送エリアと時間帯とを特定した、より生活に根差したサービス展開を可能とする。
【００１７】
放送予定取得部１１は、指定された放送局の番組表ページなどの情報ソースから、指定された日時範囲の放送予定情報を取得し、放送予定の番組それぞれの番組情報を料理番組抽出部１２へ提供する。
このとき、放送予定取得部１１は、放送エリアなどの指定を受け付けて、この指定されたエリアにおける放送予定番組を対象として、前記番組情報を取得してもよい。
また、放送予定取得部１１は、チラシ情報取得部１３により取得されたチラシ情報の日付に基づいて、取得対象とする番組の放送予定日を決定してもよい。例えば、チラシ掲載日の翌日などが取得対象となる。
【００１８】
料理番組抽出部１２は、取得した放送予定の番組情報の中から、食材又は特定のキーワード（例えば、「料理」、「クッキング」など）を含む料理番組を抽出する。
チラシ情報取得部１３は、スーパーマーケット３などの店舗で扱う食材の広告情報（チラシ情報）を取得する。
【００１９】
食材情報抽出部１４は、番組情報連携装置１の内部又は外部に設けられた食材辞書を参照し、番組情報内のレシピ情報、及びチラシ情報のそれぞれから、食材情報を抽出する。
ここで、同一食材でも、地域による呼び名の違い、又は漢字、カタカナ、ひらがななどの表記の違いが存在する。そこで、食材情報抽出部１４は、これらの呼び名又は表記を統一させるために、番組情報連携装置１の内部又は外部に設けられた言い換え辞書を参照し、共通の表現に変換して抽出する。
【００２０】
マッチング部１５は、食材情報抽出部１４により抽出された食材情報と、エリア情報及び日時情報とに基づいて、チラシ情報と番組情報とをマッチングし、料理番組のレシピ情報とチラシ情報とを対応付けて、情報提供部１６に提供する。
なお、マッチング結果は、所定のストレージなどに蓄積されてもよい。
【００２１】
情報提供部１６は、マッチング部１５によりマッチングした結果得られた番組情報、レシピ情報及びチラシ情報を出力し、情報提供元である放送局２又はスーパーマーケット３に提供する。
情報提供部１６は、チラシ情報と対応付けられた番組情報と共に、対応付けられなかった番組情報を区別して出力し、スーパーマーケット３における広告及び販売の戦略立案のために提供してもよい。
【００２２】
図２は、本実施形態に係る番組情報連携装置１における、番組情報から食材情報を抽出する処理手順を例示する図である。
【００２３】
放送予定取得部１１は、放送局の番組情報ソースを指定し、今後放送される番組の番組情報を取得する。
ここで、番組情報の取得方法は、例えば、番組表を公開しているＷｅｂサイトからのスクレイピングによる取得、若しくはＲＳＳの受信による取得などのｈｔｔｐプロトコルを通じて取得する方法、又は放送信号を受信できる場合には放送信号からＥＰＧなどの番組情報を取得する方法などが採用可能である。また、番組情報連携装置１は、一度番組情報を取得した方法及び内容をストレージに蓄積し、次回に再利用してもよい。
【００２４】
この例では、新潟県、栃木県及び山形県にある放送局の番組情報が取得されている。放送予定取得部１１は、放送局情報、放送日時、番組名及び番組内容などを記憶する。なお、番組個別のＷｅｂサイトが存在し、テキスト情報を取得できる場合、放送予定取得部１１は、このテキスト情報を番組内容に格納してもよい。
【００２５】
次に、料理番組抽出部１２は、放送予定取得部１１が取得した番組情報から、料理又は食に関する番組のみを抽出する。この例では、新潟県の放送局の番組である「ニュースアイ」が除外されている。
なお、料理番組抽出部１２は、料理番組を抽出するためのフィルタルールとして、番組名又は番組内容に、「クッキング」などの料理に関する単語、又は「玉葱」といった食材に関する単語が含まれているか否かを判定する。番組情報連携装置１は、これらのフィルタする単語を、内部に辞書として保持してもよいし、外部リソースを参照して設定してもよい。
【００２６】
次に、食材情報抽出部１４は、チラシ情報と番組情報とをマッチングする処理の前処理として、食材表現を統一することも目的とした食材抽出処理を行う。食材情報抽出部１４は、料理番組抽出部１２と同様に、番組情報連携装置１の内部又は外部の食材辞書を参照し、食材名を共通の表現に変換した上で抽出を行う。
【００２７】
図３は、本実施形態に係る番組情報連携装置１における、チラシ情報から食材情報を抽出する処理手順を例示する図である。
【００２８】
チラシ情報取得部１３は、スーパーマーケットを指定してチラシ情報を取得する。チラシ情報取得部１３は、例えば、スーパーマーケットが公開しているＷｅｂサイトからスクレイピングにより取得してもよいし、スーパーマーケット自らがチラシ情報をＣＳＶなどのテキスト化したデータとして登録してもよい。また、番組情報連携装置１は、一度チラシ情報を取得した方法及び内容をストレージに蓄積し、次回に再利用してもよい。
【００２９】
この例では、栃木県にあるスーパーマーケットから２月１０日及び２月１１日のチラシ情報が取得されている。チラシ情報は、例えば、スーパーマーケットの基本情報である都道府県などの施設情報と共に、各日付のチラシＩＤに紐付く特売情報（例えば、食材及び値段）などで構成されてよい。
【００３０】
次に、食材情報抽出部１４は、チラシ情報と番組情報とをマッチングする処理の前処理として、食材表現を統一することも目的とした食材抽出処理を行う。食材情報抽出部１４は、料理番組抽出部１２と同様に、番組情報連携装置１の内部又は外部の食材辞書を参照し、食材名を共通の表現に変換した上で抽出を行う。
例えば、チラシ情報取得部１３が取得したチラシ情報では「にんじん」と登録されているのに対して、料理番組抽出部１２が取得した番組情報内では「人参」と表記されている。そこで、食材情報抽出部１４は、チラシ情報の「にんじん」を、共通の表現である「人参」と変換して抽出している。
【００３１】
図４は、本実施形態に係る番組情報連携装置１におけるマッチング処理の手順を例示する図である。
【００３２】
マッチング部１５は、番組情報及びチラシ情報の、「場所」、「日付」及び「食材」に基づいてマッチングを行う。例えば、栃木県のスーパーマーケットの２月１０日のチラシには、人参及び玉葱などが特売として登録されているため、番組情報としては、栃木県の放送局がチラシの翌日に放送する予定で、人参及び玉葱を取り上げる「親子でクッキング！」という番組が関連付けられている。
【００３３】
マッチング部１５は、マッチング方法として、例えば、チラシの特売食材のうち、どれか１つでも取り上げている番組をマッチングしてもよい。また、マッチング部１５は、チラシの翌日だけでなく当日放送の番組もマッチング対象にしてもよい。マッチングルールは、これらの他、利用形態に応じて適宜設定されてよい。
【００３４】
マッチング部１５がマッチングした結果は蓄積され、情報提供部１６が利用者へ提供する。提供先は、チラシ情報を提供したスーパーマーケットには限られず、マッチングされた番組の放送局に提供されてもよい。これにより、スーパーマーケットは、放送予定をチラシに埋め込めるだけでなく、放送局は、自身のコンテンツにチラシ情報へのリンクを付加することもできる。
【００３５】
図５は、本実施形態に係る番組情報連携装置１の第１の利用形態を示す図である。
この利用形態では、自社のチラシに放送予定のレシピ情報を埋め込みたいスーパーマーケットのオーナーＸが利用者となる。
【００３６】
栃木県にあるスーパーマーケットのオーナーＸは、放送予定を取得したい放送局の番組表のソースを指定する。放送予定取得部１１は、放送局がＷｅｂサイトで、又はＷｅｂＡＰＩで公開している番組表から、栃木県の放送予定を取得してもよい。
また、スーパーマーケットのオーナーＸは、自社のチラシ情報を登録しておく。この例では、スーパーマーケットが自社で管理しているデータを、ＣＳＶなどのフォーマットによりチラシ情報取得部１３に登録している。
さらに、スーパーマーケットのオーナーＸは、チラシに翌日の放送予定を埋め込みたいため、マッチング部１５に、翌日放送予定をマッチングする旨の設定を登録する。
【００３７】
番組情報連携装置１は、放送予定の番組情報とチラシ情報とのマッチング処理を通して、２月１０日のチラシには、２月１１日放送予定の「野菜たっぷりビーフシチュー」のレシピ情報を、２月１１日のチラシには、２月１２日放送予定の「エビとニラを使った生春巻き」のレシピ情報を連携させている。
このとき、番組で紹介されるレシピに必要な食材も把握されるため、スーパーマーケットの特売ではレシピ情報の食材を網羅できないこともスーパーマーケットのオーナーＸは把握できる。
【００３８】
また、マッチングされた放送予定の番組を持つ放送局にも、栃木県のスーパーマーケットのオーナーＸに番組情報が連携されたことが通知される。この通知を受け、放送局側では、番組のＷｅｂサイト上にチラシへのリンクを生成することもできる。
これにより、チラシを閲覧したユーザがスーパーマーケットのチラシから番組のＷｅｂサイトへ遷移できるだけでなく、番組Ｗｅｂサイトを閲覧したユーザがスーパーマーケットのチラシに遷移することもできる。この結果、番組のＷｅｂサイトの閲覧が実際の購買行動につながりやすくなる。
【００３９】
図６は、本実施形態に係る番組情報連携装置１の第２の利用形態を示す図である。
この利用形態は、食材に関する放送予定を事前に知ることで特売情報を検討したいスーパーマーケットのオーナーＹが利用者となる。
【００４０】
ここで、取得したい放送局の番組情報の指定については第１の利用形態（図５）と同様の処理になる。一方、登録するチラシ情報がないため、オーナーＹは、マッチング部１５にマッチング不要の設定を行う事で、番組情報をチラシ情報とマッチングすることなく、指定した放送局の食材に関する放送予定の番組情報のみを取得できる。
【００４１】
この例では、２月１１日放送予定の「親子でクッキング！」と、２月１２日放送予定の「クッキングタイム」とがスーパーマーケットのオーナーＹに提供されている。これにより、スーパーマーケットのオーナーＹは、２月１０日のチラシに、翌日放送予定である「野菜たっぷりビーフシチュー」に合わせた食材を特売として出したり、２月１１日のチラシに、本日放送として「野菜たっぷりビーフシチュー」に合わせた食材を特売として出したりすることも検討できる。また、スーパーマーケットのオーナーＹは、得られた番組情報を、特売品と他の食材とを組み合わせた店頭展示などの販売戦略としても利用できる。
【００４２】
本実施形態によれば、番組情報連携装置１は、放送予定の番組情報及びチラシ情報から、食材情報を抽出することにより両者をマッチングさせる。したがって、番組情報連携装置１は、チラシの食材情報と放送予定の番組情報とを容易に対応付けて出力できる。
この結果、放送予定の番組で今後紹介される食材に関する情報と、チラシ情報とがマッチングされ、レシピを始めとする食に関するコンテンツがチラシに連携される。したがって、チラシを運営するスーパーマーケットのオーナーは、放送予定情報から人気が出ると思われる食材を特売にしたり、レシピ情報をチラシに組み込んだりといったサービスを提供できる。
【００４３】
また、番組情報連携装置１は、チラシの配布地域に応じて、指定されたエリアにおける放送予定番組を対象として、番組情報を取得する。さらに、番組情報連携装置１は、チラシの日付に基づいて、取得対象とする番組の放送予定日を決定する。このように、番組情報は、放送される場所や日時に基づいて連携されるため、エリアと時間帯を特定した連携も可能となる。
したがって、番組情報連携装置１は、レシピ情報をチラシに埋め込む際に、サービスを提供する場所に合わせると共に、適切な日時の放送予定番組を抽出できる。よって、番組情報連携装置１は、放送視聴とチラシを容易につなげることができ、放送と生活とをより密接に連携させることができる。この結果、より生活に根差したコンテンツなどのサービス展開が促進される。
【００４４】
また、番組情報連携装置１は、チラシ情報と対応付けられた番組情報と共に、対応付けられなかった番組情報を区別して出力するので、店舗において、放送予定に合わせた商品の今後の販売戦略に利用できる。
【００４５】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４６】
本実施形態における各機能部は、適宜、複数の情報処理装置に分離されたシステムとして構成されてよい。
【００４７】
番組情報連携装置１の機能を実現するためのプログラムをコンピュータで読み取り可能な記録媒体に記録して、この記録媒体に記録されたプログラムをコンピュータシステムに読み込ませ、実行することによって実現してもよい。
【００４８】
ここでいう「コンピュータシステム」とは、ＯＳや周辺機器などのハードウェアを含むものとする。また、「コンピュータで読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。
【００４９】
さらに「コンピュータで読み取り可能な記録媒体」とは、インターネットなどのネットワークや電話回線などの通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００５０】
１  番組情報連携装置
１１  放送予定取得部
１２  料理番組抽出部
１３  チラシ情報取得部（広告情報取得部）
１４  食材情報抽出部
１５  マッチング部
１６  情報提供部（出力部）
【図１】
2017201468.tif 000003
【図２】
2017201468.tif 000004
【図３】
2017201468.tif 000005
【図４】
2017201468.tif 000006
【図５】
2017201468.tif 000007
【図６】
2017201468.tif 000008